(57)【要約】【課題】  従来のショーツは吸収性物品を股間部に押し当てる力が十分でないため経血漏れのおそれがあり、また伸縮性素材を用いて小さめに構成した生理用ショーツは締め付けがきつく鬱血の原因となる。【解決手段】  人体の股間部に延在し該股間部を下から押さえる股下部と、当該股下部の前後端部から二股に分かれ、人体の両肩にそれぞれ掛けられる対のストラップ部と、を設けて生理用ショーツを構成する。前記股下部の幅方向中央部が内側に盛り上がる構成とすると吸収性物品を股間部によりフィットさせることができる。また、ストラップ部の長さを調節可能とするとサイズに汎用性を持たせることができる。【選択図】図１
2006043321.tif 000002
【特許請求の範囲】
【請求項１】
人体の股間部に延在し該股間部を下から押さえる股下部と、当該股下部の前後端部から二股に分かれ、人体の両肩にそれぞれ掛けられる対のストラップ部とを具えることを特徴とする生理用ショーツ。
【請求項２】
請求項１に記載の生理用ショーツにおいて、前記股下部の幅方向中央部が内側に盛り上がる構成であることを特徴とする生理用ショーツ。
【請求項３】
請求項１または２に記載の生理用ショーツにおいて、前記ストラップ部の長さが調節可能であることを特徴とする生理用ショーツ。
【発明の詳細な説明】
【技術分野】
【０００１】
本発明は生理用ショーツに関し、特に、女性が生理時に股間部に装着する吸収性物品を、身体により密着させて経血漏れを防止する生理用ショーツに関する。
【背景技術】
【０００２】
一般に女性用ショーツは前身頃と後身頃が胴回りで接合されており、腰で履く構成となっている。このうち特に生理用ショーツでは、股下部に装着される生理用ナプキンが運動してもずれにくいような様々な工夫がなされている（例えば、特許文献１）。このような生理用ショーツは伸縮性に優れた素材を用いて通常のショーツよりやや小さめに形成され、より身体にフィットするよう構成されている。
【特許文献１】特開２００１−２７６１３０号公報
【発明の開示】
【発明が解決しようとする課題】
【０００３】
生理用ナプキンはショーツの股下部内側に装着されるが、経血を含むと重量が増し、この重みでショーツが下がってナプキンが身体から離れてしまうことがある。これは経血漏れの原因となり、特に運動時にこの問題が起こり易い。
【０００４】
また、経血漏れは身体を横たえる就寝時が最も問題となる。すなわち、人体の尻部は窪んでいるためナプキンで股間部を完全に閉塞するのが困難であり、身体を横たえたときにこの窪みに沿って経血が流れ、尻部の上の方から漏れてしまうという問題がある。これを回避すべく就寝用として尻部の上の方まで範囲を拡大した生理用ナプキンがあるが、完全に安心できるものではなく、装着感も悪いものだった。また用途別に生理用ナプキンを数種用意しなければならないという面倒もある。
【０００５】
また、従来の生理用ショーツは、装着したナプキンを股間部にフィットさせるため少々きつめに構成されたものも多いが、これは腰回りを全体的に圧迫する構成であるため、着用感が悪化するとともに鬱血等の原因となってしまう。
【課題を解決するための手段】
【０００６】
経血漏れを有効に防ぐには、その流れ出る範囲が狭い方がよい。すなわち、例えば液体の入った瓶を逆さにして吸収性物品でこれを受ける場合、瓶口を押さえるようにして吸収性物品をあてがった場合と、瓶口から少し離して吸収性物品を構えて液体を受ける場合とでは、直接あてがった方が液体の流出範囲が狭く、吸収性物品の外縁から液体が滴り落ちてしまうようなことがない。したがって、経血漏れを防ぐには、生理用ナプキン（吸収性物品）が膣部に軽く押さえられている状態を保つのが有効である。また、この状態さえ確保できれば他の部分を締め付ける必要はない。これには、股下にあてがった生理用ナプキンを常に自分の手で軽く押さえているのが最も有効だが、この状態で過ごすのはとても現実的ではない。
【０００７】
本願発明者はこのような着想から、経血漏れを確実に回避するとともにショーツの装着感を向上させる本願発明を為すに至った。本発明の生理用ショーツは、人体の股間部に延在し該股間部を下から押さえる股下部と、当該股下部の前後端部から二股に分かれ、人体の両肩にそれぞれ掛けられる対のストラップ部とを具えることを最も主要な特徴とする。
【０００８】
また、本発明の生理用ショーツは、前記股下部の幅方向中央部が内側に盛り上がる構成であることを特徴とする。
【０００９】
また、本発明の生理用ショーツは、前記ストラップ部の長さが調節可能であることを特徴とする。
【００１０】
本発明の生理用ショーツは、前記ストラップ部を、ブラジャーのストラップのようにレース等の装飾を施したり、透明樹脂バンドで構成したり、着衣服に応じてアレンジしてもよい。
【発明の効果】
【００１１】
股下部の前後端からストラップ部を略Ｙ字型に伸ばし、これらストラップ部を肩に掛けて装着する構成としたため、装着時に股下部が常に上に軽く引っ張られている状態となる。したがって、股下部に装着した吸収性物品が股間部に軽く押し当てられた状態を保つことができ、経血を確実に吸収して経血漏れを防ぐことができる。また、股間部のみを上側に軽く押さえる状態が実現するため、腰回り全体を圧迫する必要がなく、装着時の窮屈さを軽減するとともに腰周りの鬱血を防止することができる。
【００１２】
また、股下部の幅方向中央部が内側に盛り上がる構成としたため、股下部に装着される吸収性物品（生理用ナプキン）の中央部が常に膣部分に宛われた状態となり、経血の流出範囲を狭くして横漏れや後漏れを確実に防ぐことができる。
【００１３】
また、ストラップ部の長さを調節可能な構成とすると、使用者ごとに異なる体型に合わせて調整することができ、寸法に汎用性を持たせて量産できるようになるとともに、使用者側でも微調整が可能となり装着感を向上させることができる。また、このストラップ部をブラジャーのストラップのように着衣服に応じてアレンジするとファッション性を高めることができる。
【発明を実施するための最良の形態】
【００１４】
本発明に係る生理用ショーツを実施するための最良の形態を、添付の図面を参照しながら以下に詳細に説明する。
【実施例１】
【００１５】
図１は本発明に係る生理用ショーツの第１実施例の構成を示す斜視図である。図１に示すように、本実施例の生理用ショーツ１は、人体の股間部を押さえるための股下部１１と、当該股下部１１の前後端から二股に分かれ、人体の両肩にそれぞれ掛けられる一対のストラップ部１２、１２とを有する。生理用ショーツ１は伸縮性、耐久性、耐水性に優れた布素材、例えばポリウレタンとナイロンでなる伸縮性布材を好適に用いることができる。股下部１１は、ここに装着される生理用ナプキンなどの吸収性物品を保持し得るよう適切な幅（例えば、４ｃｍ以上）を持たせて構成される。さらに、股下部１１の後側は尻部の窪みに沿うように細く構成し、前側は体毛を覆うように幅広く形成している。
【００１６】
図２は、股下部１１の幅方向の断面を示す図である。図２に示すように、股下部１１の内側面（すなわち、図２において上側面）には、股下部１１に沿って補整部材１３が配設されており、股下部１１の内側面において幅方向中央部が盛り上がる構成となっている。この補整部材１３は前後方向の長さが５〜１０ｃｍ程度であり、弾力性のある布材や樹脂素材を好適に用いることができる。これにより、股下部１１の内側面に装着される吸収性物品の中央部が盛り上がる構成となり、生理用ショーツ１の装着時に吸収性物品が確実に膣部に軽く押し当てられた状態となる。
【００１７】
図３は、生理用ショーツ１を装着した状態を説明するイメージ図である。図３に示すように、ショーツ１が肩で支えられ股下部１１が常に軽く上に引っ張られた状態となり、常に安定した状態で股下部１１が人体の股間部に密着する。運動時や横臥時にも、股を大きく開いたり捻って交差させたりした場合でも股下部１１が常に人体の股間部に軽く押し当てられた状態を保つため、股下部１１に装着された吸収性物品が経血を効率よく吸収し、経血が漏れることがない。また、従来の生理用ショーツのように腰回りをきつく締め上げる構成でないため、装着感が向上するとともに腰回りの鬱血を防止することができる。また、股下部１１に補整部材１３が配置されているため吸収性物品が確実に膣部に押し当てられ、経血が広範囲に流出することがなく横漏れや後漏れが防止される。また、ショーツ１を伸縮性に富んだ素材で構成すると異なるサイズの利用者に幅広く適用することができる。
【実施例２】
【００１８】
図４は、本発明の第２実施例の構成を示す斜視図である。図４に示すように、本実施例の生理用ショーツ２では、ストラップ部２２、２２にそれぞれ長さ調節機構２３、２３が設けられている。この長さ調節機構２３は、ベルト状部材の長さを調節する公知のものをいずれも好適に用いることができる。この構成により、ストラップ部２２の長さを個人の体型に合わせて調節することが可能となり、生理用ショーツ２に寸法の汎用性を持たせることができる。また、本実施例の生理用ショーツ２は長さ調節機構２３を有するため伸縮性に富む素材を用いる必要がなく、素材選択の幅が広がる。なお、ストラップ部２２の長さ調節機構２３を設ける位置は図４の例に限らず、ショーツ２の前後どちらに配設してもよいが、人体の肩部に触れる位置に設けると装着時に痛みが生じる可能性があるため避けた方が無難である。なお、他の構成要素については図１に示す第１実施例と同様であるため重複する説明は省略する。
【実施例３】
【００１９】
図５は、本発明の第３実施例の構成を示す斜視図である。図５に示すように、本実施例の生理用ショーツ３では、ストラップ部３２、３２の肩にあたる部分にクッション材３３が設けられている。このクッション材３３は２０〜３０ｃｍ程の長さでストラップ部３２の内側面に配設されている。本実施例におけるストラップ部３２、３２はそれぞれ幅３〜８ｃｍ程度に構成されるが、上述した他の実施例ではストラップ部の幅を０．５ｃｍ〜３ｃｍの間で構成してもよい。このようにストラップ部３２にクッション材を設けることにより、ショーツ３の着用時にストラップ部３２が擦れて肩が痛くなったりするのを防止することができる。また、ストラップ部３２が気づかないうちに肩からはずれているといった事態を防ぐことができる。なお、他の構成は上記実施例と同様である。
【実施例４】
【００２０】
図６は、本発明の第４実施例の構成を示す斜視図である。図６に示すように、本実施例の生理用ショーツ４では、図１に示す構成に加えて、人体の腰回りに延在する対の胴回り部４２、４２を具えている。この胴回り部４２は股下部１１やストラップ部１２と連続的に形成されており、適用する利用者にとってきつくならない程度の寸法に形成される。この胴回り部４２は生理用ショーツ４、特に股下部１１を確実に位置決めする作用を有する。すなわち、このショーツ４の装着時に身体をねじったり激しい運動をした場合でも、腰の両脇をつなぐ胴回り部４２が股下部１１の前後端の相対関係を維持するため、腰から下の部分すなわち股下部１１の位置がずれることがない。この状態で股下部１１はストラップ部１２により上方向に引っ張られるため、運動をする場合なども安定した状態で確実に経血を吸収することができる。なお、他の構成は上記実施例と同様である。
【００２１】
図７は、本発明の生理用ショーツにおいて、股下部１１と対のストラップ部１２、１２との連結部の変形例を示す図である。図７に示すように、股下部１１と対のストラップ部１２、１２は、金属あるいは樹脂材からなるリング部材１５で連結してもよい。なお、この場合にリング部材１５は正円形でなく楕円形や三角形であってもよい。また、股下部１１の前後一方のみをリング部材１５で連結し、他方を（図１に示すように）連続的に構成してもよい。
【００２２】
本発明のいくつかの実施例について説明したが、本発明は上記実施例の構成に限定されるものではなく、他の様々な変形例として実現することができる。例えば、昨今流行のブラジャー等と同様に、ストラップ部にレースなどの装飾を施して意匠性を向上させてもよい。また、ストラップ部の少なくとも一部を透明樹脂素材で構成して、襟ぐりの開いた服を着た場合でも目立たなくなるようにしてもよい。
【００２３】
また、上記第１実施例では股下部１１に補整部材１３を配置して内側に盛り上がる構成としているが、これは装着時に股下部１１の幅方向中央部が盛り上がる構成であれば上記実施例の構成に限らず、他の構成としてもよい。例えば、股下部１１の幅方向中央に細いゴムベルトを若干のテンションを持たせて縫製し、装着時にこの縫製部分が内側に盛り上がるよう構成するなど、他の立体縫製手法を用いて実現してもよい。
【００２４】
また、股下部やストラップ部の長さ、幅、厚さは適用する素材その他の実施環境に応じて適宜決定することができる。例えば、ストラップ部の前側と後側で幅や色を変える等すると、着用時にショーツの前後が分かりやすくなり使用者の便宜となる。また、ストラップ部の前側は女性の乳房にかかってしまうため、この部分を細くして乳房を避け易いようにしてもよいし、逆に幅広く構成して乳房を覆うように構成してもよい。
【００２５】
さらに、本発明の生理用ショーツを構成する素材も用途や着心地などの目的に応じて適宜選択することができる。股下部１１とストラップ部１２とで伸縮率の異なる布材を用いてもよい。すなわち、股下部１１には確実に吸収性物品を保持しうるよう伸縮性の少ない布材を用い、ストラップ部１２を伸縮性に優れた布材で構成する。
【産業上の利用可能性】
【００２６】
本発明に係る生理用ショーツは、着用時にストラップ部を肩で支えることにより股下部が人体の股間部に軽く押し当てられる状態を維持するため、股下部の内側面に生理用ナプキンなどの吸収性物品を装着して経血を漏らすことなく確実に吸収させる用途に適用することができる。
【図面の簡単な説明】
【００２７】
【図１】生理用ショーツの構成を示す斜視図である。（実施例１）
【図２】股下部１１の断面図である。
【図３】生理用ショーツを装着した場合のイメージ図である。
【図４】生理用ショーツの構成を示す斜視図である。（実施例２）
【図５】生理用ショーツの構成を示す斜視図である。（実施例３）
【図６】生理用ショーツの構成を示す斜視図である。（実施例４）
【図７】股下部とストラップ部の連結部分の変形例を示す図である。
【符号の説明】
【００２８】
１〜４    生理用ショーツ
１１      股下部
１２，２２，３３    ストラップ部
１３      補整部材
２３      長さ調節機構
３３      クッション材
４２      胴回り部
【図１】
2006043321.tif 000003
【図２】
2006043321.tif 000004
【図３】
2006043321.tif 000005
【図４】
2006043321.tif 000006
【図５】
2006043321.tif 000007
【図６】
2006043321.tif 000008
【図７】
2006043321.tif 000009